(57)【要約】【目的】  巻尺のケースに装着しているカバーの衝撃保護機能を低下させることなく、同カバーに貼り付けているネームプレートの剥がれを防止して巻尺を長期に渡り安全に使用することができ、かつネームプレートにおいても従来と同じように、個性的でかつ色彩豊かなデザインを施した一目で何処の会社のどの商品であるかを認識できるように付したネームプレートを表示できる巻尺を提供する。【解決手段】  測定テープを内部に備えるケース１に、同ケースを取り巻くように装着した弾性素材で形成したカバー３を備え、同カバー３の少なくともケース側面１ａ位置におけるベルトクリップを備えない側の部分を、透光性を有する素材で構成してなる巻尺。【選択図】  図１
2010151558.tif 000002
【特許請求の範囲】
【請求項１】
ケース内に、測定テープを周囲に巻き回し、同測定テープを巻き取り方向に付勢する付勢手段を内装した回転ドラムを回転自在に支持する自動巻取り式の巻尺であって、前記ケースには、同ケースを取り巻くように装着した弾性素材で形成したカバーを備え、前記カバーの少なくともケース側面位置におけるベルトクリップを備えない側の部分を、透光性を有する素材で構成してなる巻尺。
【請求項２】
前記カバーの少なくとも透光部位を、外方に膨出するレンズ状に形成してなる請求項１に記載の巻尺。
【請求項３】
前記カバーにおける透光部位に覆われるケース面に貼り付けるネームプレートを、蓄光処理してなる請求項１に記載の巻尺。
【請求項４】
前記カバーにおける透光部位に覆われるケース面の部分を、蓄光処理してなる請求項１に記載の巻尺。
【請求項５】
前記カバーにおける透光部位の内側を、蓄光処理してなる請求項１に記載の巻尺。
【発明の詳細な説明】
【技術分野】
【０００１】
本発明は、滑り防止や落下時に衝撃を緩和するためのカバーをケースに装着している巻尺に関する。
【背景技術】
【０００２】
従来、巻尺の取り扱いに際し、滑り防止や落下時に衝撃を緩和するためのカラーリングしたカバーを、巻尺本体となるケースに装着しているものがある（例えば、特許文献１、２参照）。
【０００３】
このカバーは、ブレーキレバー等の操作部材を除いたケースの大部分を取り巻くように装着されていて、装着目的の一つであるケースを落とした際の衝突による衝撃から同ケースを保護するようになっている。
【０００４】
またカバーには、製造元の会社名や商品の名称等を表示し、個性的でかつ色彩豊かなデザインを施した一目で何処の会社のどの商品であるかを認識できるよう知的に考案したシール状のネームプレートを、両面テープ等の貼り付け手段によって貼り付けている。
【０００５】
しかしながら、カバーは、ゴムやエラストマ等の弾性素材から形成しているので、ネームプレートの貼り付き力は低下し、したがって巻尺の使用期間が長かったり、またカバーに貼られたネームプレートと外部部材との接触等により同ネームプレートの端部が剥れて同端部が捲れ上がると、これを機にネームプレートの剥離が進行して行く問題があった。
【０００６】
そして、ネームプレートの剥離が進行すると、巻尺を使用している際に、捲れ上がったネームプレート裏面の粘着剤が、巻尺を使用する作業者の手や衣服または外部部材に貼り付いたり、また貼り付こうとすることによって手に持っている巻尺を落としてしまう危険があった。
【０００７】
特に、高所での作業中に巻尺を落としてしまうと、下にいる人に及ぼす影響は極めて重大で、落下した巻尺が当たり死傷事故となる場合もあり、改善が強く望まれていた。
【０００８】
【特許文献１】特開２００２−１３１００２号公報（第１〜５頁、図１〜６）
【特許文献２】特開２０００−２９８００２号公報（第１〜８頁、図１〜１０）
【発明の開示】
【発明が解決しようとする課題】
【０００９】
本発明は、カバーの衝撃保護機能を低下させることなく、同カバーに貼り付けているネームプレートの剥がれを防止して巻尺を長期に渡り安全に使用することができ、かつネームプレートにおいても従来と同じように、個性的でかつ色彩豊かなデザインを施した一目で何処の会社のどの商品であるかを認識できるよう知的に考案されたユーザーに対する知名度が大なる同ネームプレートを引き続き表示できる巻尺を提供できるようにした。
【課題を解決するための手段】
【００１０】
上述した課題を解決するために、本発明に係る巻尺は、ケース内に、測定テープを周囲に巻き回し、同測定テープを巻き取り方向に付勢する付勢手段を内装した回転ドラムを回転自在に支持する自動巻取り式の巻尺であって、前記ケースには、同ケースを取り巻くように装着した弾性素材で形成したカバーを備え、前記カバーの少なくともケース側面位置におけるベルトクリップを備えない側の部分を、透光性を有する素材で構成したものとしてある。
【００１１】
また前記カバーの少なくとも透光部位を、外方に膨出するレンズ状に形成したものとしてある。
【００１２】
また前記カバーにおける透光部位に覆われるケース面に貼り付けるネームプレートを、蓄光処理したものとしてある。
【００１３】
また前記カバーにおける透光部位に覆われるケース面の部分を、蓄光処理したものとしてある。
【００１４】
また前記カバーにおける透光部位の内側を、蓄光処理したものとしてある。
【発明の効果】
【００１５】
本発明の巻尺によれば、巻尺の本体となるケースを取り巻くように装着している弾性素材で形成したカバーを、同カバーの少なくともケース側面位置におけるベルトクリップを備えない側の部分を、透光性を有する素材で構成しているので、従来、同位置すなわちケース側面位置のカバー上面に貼り付けていたネームプレートを、カバー上面ではなくカバー下のケース側面に貼り付けることができる。
【００１６】
したがって、ケース側面に貼り付けたネームプレートは、カバー外方より同カバーの透光部位を通して視認できるので、従来カバー上面に貼り付けていた優れたデザインのネームプレートをそのままケース側面に貼り付けることができるため、ネームプレートに有する優れた表示機能も低下することなく、ユーザーに対する知名度が大なる同ネームプレートを従来の巻尺にも表示できる。
【００１７】
これにより、ネームプレートの剥離が原因で引き起こされる巻尺の落下事故を防止できるので、滑り防止や落下時に衝撃を緩和するためのカバーを装着している巻尺を長期に渡り安全に使用することができる。
【００１８】
そして、カバーの透光部位に覆われるケース面に貼り付けるネームプレートやケース面、またカバーの透光部位の内側を蓄光処理すれば、同蓄光処理による光がカバーの透光部位より外部に照射されて、特に巻尺の夜間使用時において同巻尺の所在を容易に知ることができる。
【発明を実施するための最良の形態】
【００１９】
本発明に係る巻尺は、図１に示すように、巻尺の本体たるケース１（図３を参照）にエラストマやゴム等の弾性素材で形成したカバー３を装着している。
【００２０】
またカバー３は、使用者が必要に応じて脱着できるように構成したり、あるいはケース１と一体になるように構成して使用者が脱着できないようにする場合もある。
【００２１】
図２は、ケース１から取り外した状態のカバー３を示しており、カバー３は、ケース１のベルトクリップを備えない側の側面１ａ（図３を参照）位置を透光性を有する素材たる透明の素材で構成している（透光部分３ａ）。
実施例では透光部分３ａを透明の素材で構成しているが、半透明等、透光性を有する素材で構成していればよい。
【００２２】
また図２に示しているカバー３は、同透光部分３ａを、図３に示したケース１の側面１ａに貼り付けるネームプレート２の形状と大きさに略合わせているものを示しているが、デザイン上異する形状や大きさにする場合もある。
【００２３】
したがって、本巻尺は上述のように構成しているので、図３のネームプレート２を従来の貼り付け位置であるケース１の側面１ａに貼り付けている同ケース１に、図２のカバー３を装着しても、図１のように、ケース１の側面１ａに貼り付けているネームプレート２を、カバー３の外方より透光部分３ａを通して視認できる。
【００２４】
そして、図４に示すように、カバー３の透光部分３ａを外方に膨出するレンズ状（凸レンズ状）に形成する場合がある。
【００２５】
これにより、透光部分３ａ下のケース１の側面１ａに貼り付けているネームプレート２に表示しているイラストや文字等が、この外方に膨出する透光部分３ａによるレンズ効果によって拡大や変形して見えるので、同ネームプレート２の表示に遊び心を持たせることができる。
【００２６】
また、図５中の（ａ）に示すように、ネームプレート２の全体やイラストまた文字等の一部分を蓄光処理する場合がある。
【００２７】
これにより、図５中の（ｂ）のように、ネームプレート２の光がカバー３の透光部分３ａから外部に照射されて、巻尺の夜間使用時における同巻尺の所在を容易に知ることができる。
【００２８】
さらには、図６に示すように、カバー３におけるケース１のベルトクリップを備えない側の側面１ａ（図３を参照）位置に設けた透光部分３ａ以外にも、例えばカバー３の上部に透光部分３ａ´を設けて、同透光部分３ａ´に覆われるケース面の部分を蓄光処理する場合もある。
【００２９】
また、実施例では示していないが、カバー３における透光部位の内側を蓄光処理する場合もある。さらに、カバー３全体を透光性を有する素材で構成する場合もある。
【００３０】
実施例における図中の符号４は、ケース１内から引き出した測定テープ（図示は省略）を引き出し位置で固定するためのブレーキレバー、符号５は、測定テープ（図示は省略）の先端に取り付けているフック、符号６は、巻尺（ケース１）を使用者の腰ベルトに係着させる際に用いるベルトクリップである。
【図面の簡単な説明】
【００３１】
【図１】本発明に係る巻尺の一例を示す斜視図。
【図２】カバーを示す斜視図。
【図３】カバーを外した状態の巻尺を示す斜視図。
【図４】本発明に係る他形態の巻尺を示す正面図。
【図５】本発明に係る他形態の巻尺を示す図。
【図６】本発明に係る他形態の巻尺を示す斜視図。
【符号の説明】
【００３２】
１  ケース
１ａ  側面
２  ネームプレート
３  カバー
３ａ  透光部分
３ａ´  透光部分
４  ブレーキレバー
５  フック
６  ベルトクリップ
【図１】
2010151558.tif 000003
【図２】
2010151558.tif 000004
【図３】
2010151558.tif 000005
【図４】
2010151558.tif 000006
【図５】
2010151558.tif 000007
【図６】
2010151558.tif 000008